(57)【要約】【課題】人物の顔が撮影されている画像の中でも撮影者にとって必要な画像のみを高画質で記録可能にする。【解決手段】動画を撮像して記録メディアに記録するデジタルカメラにおいて、被写体を連続して撮像して得られるフレーム画像から顔の有無を検出し（ステップＴ１）、顔が検出された場合には、その検出された顔のフレーム内の水平・垂直方向の位置を検出する（ステップＴ２，Ｔ３）。そして、顔検出位置とフレームの中心位置との差分値と予め設定した閾値との比較を行い、顔検出位置が前記閾値に対応する複数のエリアのうちのいずれのエリアに入っているかを特定し（ステップＴ５）、その特定されたエリアに対応する圧縮率を設定する（ステップＴ）。このようにして設定された圧縮率にてフレーム画像を圧縮し、記録メディアに記録する（ステップＴ７）。【選択図】  図２
2008092174.tif 000002
【特許請求の範囲】
【請求項１】
動画を撮像して記録メディアに記録する撮像装置において、
被写体を連続して撮像し、動画を構成する各フレーム画像を取得する撮像手段と、
前記取得したフレーム画像毎に、又は所定間隔のフレーム画像毎に該フレーム画像から顔を検出する顔検出手段と、
前記検出された顔の情報に基づいて前記検出された顔のフレーム内の位置を取得する顔位置検出手段と、
前記検出された顔の位置に基づいて動画の画質を調整する画質調整手段と、
前記画質が調整された動画を前記記録メディアに記録する記録手段と、
を備えたことを特徴とする撮像装置。
【請求項２】
前記画質調整手段は、前記検出された顔の位置がフレームの中心に近づく程、動画の画質が高画質になるように調整することを特徴とする請求項１に記載の撮像装置。
【請求項３】
動画を撮像して記録メディアに記録する撮像装置において、
被写体を連続して撮像し、動画を構成する各フレーム画像を取得する撮像手段と、
前記取得したフレーム画像毎に、又は所定間隔のフレーム画像毎に該フレーム画像から顔を検出する顔検出手段と、
前記検出された顔の情報に基づいて前記検出された顔の顔検出数を計数する計数手段と、
前記計数された顔検出数に基づいて動画の画質を調整する画質調整手段と、
前記画質が調整された動画を前記記録メディアに記録する記録手段と、
を備えたことを特徴とする撮像装置。
【請求項４】
前記画質調整手段は、前記記計数された顔検出数が予め設定した数に一致すると、動画の画質が高画質になるように調整することを特徴とする請求項３に記載の撮像装置。
【請求項５】
動画を撮像して記録メディアに記録する撮像装置において、
被写体を連続して撮像し、動画を構成する各フレーム画像を取得する撮像手段と、
前記取得したフレーム画像毎に、又は所定間隔のフレーム画像毎に該フレーム画像から顔を検出する顔検出手段と、
前記検出された顔の情報に基づいて前記検出された顔の大きさを検出する大きさ検出手段と、
前記検出された顔の大きさに基づいて動画の画質を調整する画質調整手段と、
前記画質が調整された動画を前記記録メディアに記録する記録手段と、
を備えたことを特徴とする撮像装置。
【請求項６】
前記画質調整手段は、前記検出された顔の大きさが大きい程、動画の画質が高画質になるように調整することを特徴とする請求項５に記載の撮像装置。
【請求項７】
動画を撮像して記録メディアに記録する撮像装置において、
被写体を連続して撮像し、動画を構成する各フレーム画像を取得する撮像手段と、
前記取得したフレーム画像毎に、又は所定間隔のフレーム画像毎に該フレーム画像から顔を検出する顔検出手段と、
前記検出された顔の向きを検出する顔向き検出手段と、
前記検出された顔の向きに基づいて動画の画質を調整する画質調整手段と、
前記画質が調整された動画を前記記録メディアに記録する記録手段と、
を備えたことを特徴とする撮像装置。
【請求項８】
前記画質調整手段は、前記検出された顔の向きが正面を向いている程、動画の画質が高画質になるように調整することを特徴とする請求項７に記載の撮像装置。
【請求項９】
動画を撮像して記録メディアに記録する撮像装置において、
被写体を連続して撮像し、動画を構成する各フレーム画像を取得する撮像手段と、
前記取得したフレーム画像毎に、又は所定間隔のフレーム画像毎に該フレーム画像から顔を検出する顔検出手段と、
予め特定の顔の情報が登録された顔情報登録手段と、
前記検出された顔の情報と前記登録された顔の情報との比較結果に基づいて動画の画質を調整する画質調整手段と、
前記画質が調整された動画を前記記録メディアに記録する記録手段と、
を備えたことを特徴とする撮像装置。
【請求項１０】
前記画質調整手段は、前記検出された顔が前記登録された特定の顔と一致していると判別すると、動画の画質が高画質になるように調整することを特徴とする請求項９に記載の撮像装置。
【請求項１１】
前記画質調整手段は、画像の圧縮率、フレームレート、及び画像サイズのうちの少なくとも１つを変更して動画の画質を調整することを特徴とする請求項１から１０のいずれかに記載の撮像装置。
【発明の詳細な説明】
【技術分野】
【０００１】
本発明は撮像装置に係り、特に動画を撮像するデジタルビデオカメラ、動画撮影機能を有するデジタルカメラ等の撮像装置に関する。
【背景技術】
【０００２】
従来、防犯カメラ等から入力した映像から人の顔画像を検出し、顔画像が検出された場合には画像の圧縮率を低くし、顔画像が検出されなかった場合には画像の圧縮率を高くし、これにより映像記録の全体の記録量を少なくする映像処理装置が提案されている（特許文献１）。
【０００３】
また、特許文献２には、人物が撮影されている区間のみ画像を録画し、これにより単なる背景だけなど無駄な画像が録画されないようにし、記録媒体を有効に活用する技術が提案されている。
【特許文献１】特開２００３−２０４５４１号公報
【特許文献２】特開２００３−４６９１１号公報
【発明の開示】
【発明が解決しようとする課題】
【０００４】
特許文献１及び２に記載の発明では、いずれも顔検出された場合には、一律に処理（高画質記録）が行われている。しかし、顔が検出された場合においても、顔検出の状況次第では、撮影者にとって必要でない画像が多く含まれている。つまり、必要でない画像も高画質で記録することになり、結果として、記録メディアに対する記録時間が短くなるという欠点があった。
【０００５】
本発明はこのような事情に鑑みてなされたもので、人物の顔が撮影されている画像の中でも撮影者にとって必要な画像（関心の高い画像）のみを高画質で記録することができ、逆に不要な画像を低画質で記録することができ、これにより記録容量に制限のある記録メディアに対する記録時間を長くすることができる撮像装置を提供することを目的とする。
【課題を解決するための手段】
【０００６】
前記目的を達成するために請求項１に係る発明は、動画を撮像して記録メディアに記録する撮像装置において、被写体を連続して撮像し、動画を構成する各フレーム画像を取得する撮像手段と、前記取得したフレーム画像毎に、又は所定間隔のフレーム画像毎に該フレーム画像から顔を検出する顔検出手段と、前記検出された顔の情報に基づいて前記検出された顔のフレーム内の位置を取得する顔位置検出手段と、前記検出された顔の位置に基づいて動画の画質を調整する画質調整手段と、前記画質が調整された動画を前記記録メディアに記録する記録手段と、を備えたことを特徴としている。
【０００７】
即ち、顔のフレーム内の位置からその顔が撮影者にとって主要被写体であるか否かが分かる。そこで、顔のフレーム内の位置に基づいて動画の画質を調整することで、必要な画像の画質は高く、不要な画像の画質は低くして記録するようにしている。
【０００８】
請求項２に示すように請求項１に記載の撮像装置において、前記画質調整手段は、前記検出された顔の位置がフレームの中心に近づく程、動画の画質が高画質になるように調整することを特徴としている。
【０００９】
請求項３に係る発明は、動画を撮像して記録メディアに記録する撮像装置において、被写体を連続して撮像し、動画を構成する各フレーム画像を取得する撮像手段と、前記取得したフレーム画像毎に、又は所定間隔のフレーム画像毎に該フレーム画像から顔を検出する顔検出手段と、前記検出された顔の情報に基づいて前記検出された顔の顔検出数を計数する計数手段と、前記計数された顔検出数に基づいて動画の画質を調整する画質調整手段と、前記画質が調整された動画を前記記録メディアに記録する記録手段と、を備えたことを特徴としている。
【００１０】
撮影者が必要とする所望の人数が揃うまでの画像、又は人数が多い画像の場合には、撮影者にとって不要な画像である場合が多い。そこで、フレーム内の顔検出数に基づいて動画の画質を調整することで、必要な画像の画質は高く、不要な画像の画質は低くして記録するようにしている。
【００１１】
請求項４に示すように請求項３に記載の撮像装置において、前記画質調整手段は、前記記計数された顔検出数が予め設定した数に一致すると、動画の画質が高画質になるように調整することを特徴としている。例えば、予め設定した数（人数）を２とした場合には、２人で撮影されている画像を高画質で記録する。
【００１２】
請求項５に係る発明は、動画を撮像して記録メディアに記録する撮像装置において、被写体を連続して撮像し、動画を構成する各フレーム画像を取得する撮像手段と、前記取得したフレーム画像毎に、又は所定間隔のフレーム画像毎に該フレーム画像から顔を検出する顔検出手段と、前記検出された顔の情報に基づいて前記検出された顔の大きさを検出する大きさ検出手段と、前記検出された顔の大きさに基づいて動画の画質を調整する画質調整手段と、前記画質が調整された動画を前記記録メディアに記録する記録手段と、を備えたことを特徴としている。
【００１３】
即ち、顔の大きさ（顔領域の面積）が大きい場合には、その人物に近づいて撮影しているか、その人物をズームアップして撮影していることになり、撮影者にとって必要な画像である場合が多い。そこで、フレーム内の顔の大きさに基づいて動画の画質を調整することで、必要な画像の画質は高く、不要な画像の画質は低くして記録するようにしている。
【００１４】
請求項６に示すように請求項５に記載の撮像装置において、前記画質調整手段は、前記検出された顔の大きさが大きい程、動画の画質が高画質になるように調整することを特徴としている。
【００１５】
請求項７に係る発明は、動画を撮像して記録メディアに記録する撮像装置において、被写体を連続して撮像し、動画を構成する各フレーム画像を取得する撮像手段と、前記取得したフレーム画像毎に、又は所定間隔のフレーム画像毎に該フレーム画像から顔を検出する顔検出手段と、前記検出された顔の向きを検出する顔向き検出手段と、前記検出された顔の向きに基づいて動画の画質を調整する画質調整手段と、前記画質が調整された動画を前記記録メディアに記録する記録手段と、を備えたことを特徴としている。
【００１６】
即ち、撮像手段に対して顔が正面を向いているのか、横を向いているか等の顔の向きに基づいて動画の画質を調整することで、必要な画像の画質は高く、不要な画像の画質は低くして記録するようにしている。
【００１７】
請求項８に示すように請求項７に記載の撮像装置において、前記画質調整手段は、前記検出された顔の向きが正面を向いている程、動画の画質が高画質になるように調整することを特徴としている。
【００１８】
請求項９に係る発明は、動画を撮像して記録メディアに記録する撮像装置において、被写体を連続して撮像し、動画を構成する各フレーム画像を取得する撮像手段と、前記取得したフレーム画像毎に、又は所定間隔のフレーム画像毎に該フレーム画像から顔を検出する顔検出手段と、予め特定の顔の情報が登録された顔情報登録手段と、前記検出された顔の情報と前記登録された顔の情報との比較結果に基づいて動画の画質を調整する画質調整手段と、前記画質が調整された動画を前記記録メディアに記録する記録手段と、を備えたことを特徴としている。
【００１９】
即ち、フレーム内に検出された顔が、予め登録された特定の顔（例えば、家族の顔）か否かに基づいて動画の画質を調整することで、必要な画像の画質は高く、不要な画像の画質は低くして記録するようにしている。
【００２０】
請求項１０に示すように請求項９に記載の撮像装置において、前記画質調整手段は、前記検出された顔が前記登録された特定の顔と一致していると判別すると、動画の画質が高画質になるように調整することを特徴としている。
【００２１】
請求項１１に示すように請求項１から１０のいずれかに記載の撮像装置において、前記画質調整手段は、画像の圧縮率、フレームレート、及び画像サイズのうちの少なくとも１つを変更して動画の画質を調整することを特徴としている。
【発明の効果】
【００２２】
本発明によれば、人物の顔が撮影されている画像の中でも撮影者にとって必要な画像（関心の高い画像）を高画質で記録するとともに、不要な画像を低画質で記録するようにしたため、必要な画像の高画質記録を実現しつつ、記録容量に制限のある記録メディアに対する記録時間を長くすることができる。
【発明を実施するための最良の形態】
【００２３】
以下、添付図面に従って本発明に係る撮像装置の好ましい実施の形態について説明する。
【００２４】
［撮像装置の構成］
図１は本発明に係る撮像装置（デジタルカメラ）１０の構成を示すブロック図である。
【００２５】
このデジタルカメラ１０は、静止画や動画の記録及び再生を行う機能を備えており、主として撮像部１、制御部２、操作部３、画像表示部４、送受信部５、記録部６、及び顔検出部７から構成されている。
【００２６】
撮像部１は、撮影レンズ、絞り機構、シャッター機構等を含む撮像光学系と、撮像光学系を介して取り込まれた被写体像を電気信号に変換する撮像素子と、撮像素子から出力される電気信号を変換して画像データを得る信号変換部と、信号処理部と、取り込まれた画像データを一時記憶するＤＲＡＭから構成されている。
【００２７】
制御部２は、中央処理装置（ＣＰＵ）、ＲＡＭ、プログラム格納用ＲＯＭ、及びタイマなどを有してマイクロプロセッサ構成を有しており、ＣＰＵは、各回路にバスラインを介して接続され、プログラム格納用ＲＯＭに格納されている制御プログラムにより、本回路全体を制御するとともに、操作部３からの状態信号に対応してプログラム格納用ＲＯＭに格納されている各モードに対応する処理プログラムを取り出して、デジタルカメラ１０の各機能を実行させる。
【００２８】
操作部３は、処理モード切替えスイッチ、機能選択用ボタン、メインスイッチ、及びシャッターボタン等を構成部品としており、文字や数値を入力可能なキーを備えている。これらのスイッチあるいはボタンが操作されると、状態信号が制御部２に送信される。
【００２９】
画像表示部４は、ドライバ及び液晶ディスプレイなどから構成された液晶表示装置からなり、制御部２の画像表示制御により撮像時の動画表示、再生画像表示、処理選択時の選択用メニューの表示などを行う。
【００３０】
送受信部５は、入出力端子を有し、入出力端子に接続されるケーブルを介して画像データを送受信することができる。
【００３１】
記録部６は、静止画についてはＪＰＥＧ（Joint Photographic Experts Group）圧縮された画像データ、動画についてはモーションＪＰＥＧ圧縮、又はＭＰＥＧ圧縮された画像データ、音声データ及び撮影時刻情報等を記録メディアに保存記録する。記録メディアは、フラッシュメモリ、又はＨＤＤ（ハードディスクドライブ）のどちらでもよい。
【００３２】
顔検出部７は、画像照合部及び顔画像テンプレートを含み、撮像部１より取り込まれた画像データ中から人物の顔を検出し、その顔の位置や大きさの情報を制御部２に出力する。
【００３３】
即ち、顔検出部７の画像照合部は、画像データの画面内で、対象領域の大きさを変え、また、対象領域の位置を移動させながら、対象領域の画像と顔画像テンプレートとを照合し、両者の相関を調べる。そして、相関スコアが予め設定された閾値を越えると、その対象領域を顔領域として認定する。その他、顔検出方法には、エッジ検出又は形状パターン検出による顔検出方法、色相検出又は肌色検出による顔検出方法等の公知の方法を利用することができる。
【００３４】
＜第１実施形態＞
次に、上記構成のデジタルカメラ１０における動画撮影時の第１実施形態の処理動作について説明する。
【００３５】
図２はデジタルカメラ１０における記録動作の第１実施形態を示すフローチャートである。
【００３６】
［ステップＴ０］
撮像部１にて所定のフレームレート（例えば６０フレーム／秒）で取り込んだ画像データ（フレーム画像）を、顔検出部７に送信し、ステップＴ１へ遷移する。
【００３７】
［ステップＴ１］
顔検出部７は、フレーム画像に対して顔の検出を開始し、ステップＴ２へ遷移する。
【００３８】
［ステップＴ２］
フレーム画像から顔が検出された場合には、ステップＴ３へ遷移し、顔が検出されなかった場合には、ステップＴ７へ遷移する。
【００３９】
［ステップＴ３］
フレーム画像中の水平・垂直方向の顔検出位置を算出し、その顔検出位置を示す情報を顔検出部７から制御部２に出力し、ステップＴ４へ遷移する。
【００４０】
［ステップＴ４］
制御部２は、フレーム画像の中心位置と顔検出位置との水平・垂直方向のそれぞれの差分値を算出し、ステップＴ５へ遷移する。
【００４１】
［ステップＴ５］
制御部２は、前記差分値と予め設定した閾値との比較を行い、顔検出位置が、図３に示すフレーム内のエリアＡ、Ｂ、Ｃのうちのいずれにエリアに入っているかを特定し、ステップＴ６へ遷移する。
【００４２】
［ステップＴ６］
下記の［表１］に示すように、ステップＴ５で特定されたエリアに対応する圧縮率を設定する。
【００４３】
【表１】
2008092174.tif 000003
【００４４】
尚、［表１］において、圧縮率は、Ａ＜Ｂ＜Ｃの関係になっており、例えば、圧縮率Ａを１とすると、圧縮率Ｂは１．５、圧縮率Ｃは２とする。
【００４５】
いま、図４（Ａ）に示すように顔検出位置がエリアＣに入っていると、圧縮率Ｃが設定され、同図（Ｂ）に示すように顔検出位置がエリアＢに入っていると、圧縮率Ｂが設定され、同図（Ｃ）示すように顔検出位置がエリアＡに入っていると、圧縮率Ａが設定される。
【００４６】
［ステップＴ７］
フレーム画像から顔が検出されなかったため、このステップＴ７では、高圧縮率を設定し、ステップＴ８へ遷移する。尚、この場合の高圧縮率は、前記圧縮率Ｃと同じ、又は圧縮率Ｃよりも高くする。
【００４７】
［ステップＴ８］
記録部６は、制御部２よりステップＴ６又はステップＴ７で設定された圧縮率の情報を受け取り、その圧縮率にてフレーム画像を圧縮し、記録メディアに記録する。
【００４８】
撮影者は、必要な映像として被写体をフレームの中心に合わせる撮影する場合が多いが、被写体は撮影者の意図を認知していないことがある。このため、撮影者は、フレームの中心に被写体を合わせるのに時間を費やす。第１実施形態では、本来、撮影者が必要な撮影映像までの記録時間（冗長記録時間）の圧縮率を高く、撮影者が必要な撮影映像記録時間中は、圧縮率を低く設定することが可能となり、必要な画像の高画質記録が可能となる。
【００４９】
また、撮影者が必要な撮影映像記録時間中を、通常圧縮率、冗長記録時間中を高圧縮率と設定した場合は、全体の記録量を低減することができる。
【００５０】
また、第１実施形態では、フレームの中心に圧縮率を低くするエリアを設定しているが、圧縮率を低くするエリアの設定は、フレームの中心に限らず、他の設定でもよし、撮影者が予め設定できるようにしてもよい。
【００５１】
尚、１フレームずつ顔検出して圧縮率を設定して記録する場合に限らず、例えば、複数フレーム毎に顔検出し、その複数フレーム毎に圧縮率を設定して記録するようにしてもよい。
【００５２】
＜第２実施形態＞
次に、上記構成のデジタルカメラ１０における動画撮影時の第２実施形態の処理動作について説明する。
【００５３】
図５はデジタルカメラ１０における記録動作の第２実施形態を示すフローチャートである。
【００５４】
［ステップＵ０］
撮像部１にて所定のフレームレートで取り込んだフレーム画像を、顔検出部７に送信し、ステップＵ１へ遷移する。
【００５５】
［ステップＵ１］
顔検出部７は、フレーム画像に対して顔の検出を開始し、ステップＵ２へ遷移する。
【００５６】
［ステップＵ２］
フレーム画像から顔が検出された場合には、ステップＵ３へ遷移し、顔が検出されなかった場合には、ステップＵ６へ遷移する。
【００５７】
［ステップＵ３］
フレーム画像から検出された顔の数をカウントし、その検出した顔検出数を示す情報を顔検出部７から制御部２に出力し、ステップＵ４へ遷移する。
【００５８】
［ステップＵ４］
制御部２は、顔検出数と予め設定した設定数とを比較する。
【００５９】
［ステップＵ５］
制御部２は、前記比較結果に基づいて顔検出数に対応する圧縮率を、下記の［表２］に示すように設定する。
【００６０】
【表２】
2008092174.tif 000004
【００６１】
尚、［表２］において、圧縮率は、Ａ＜Ｂ＜Ｃの関係になっている。
【００６２】
いま、図６（Ａ）に示すように顔検出数が“１”の場合には、圧縮率Ｃが設定され、同図（Ｂ）に示すように顔検出数が“２”の場合には、圧縮率Ｂが設定され、同図（Ｃ）示すように顔検出数が“３（３以上）”の場合には、圧縮率Ａが設定される。
【００６３】
［ステップＵ６］
フレーム画像から顔が検出されなかったため、このステップＵ６では、高圧縮率を設定し、ステップＵ７へ遷移する。尚、この場合の高圧縮率は、前記圧縮率Ｃと同じ、又は圧縮率Ｃよりも高くする。
【００６４】
［ステップＵ７］
記録部６は、制御部２よりステップＴ５又はステップＴ６で設定された圧縮率の情報を受け取り、その圧縮率にてフレーム画像を圧縮し、記録メディアに記録する。
【００６５】
撮影者が必要とする撮影映像として、被写体が複数人である場合、第２実施形態では、顔検出数により圧縮率を可変とし、撮影者が必要とする被写体が揃うまでの冗長時間分を高圧縮率とし、撮影者が必要とする被写体が揃った後の必要な撮影時間中を低圧縮率としている。
【００６６】
尚、この例では、撮影者が必要とする被写体の人数を３人（３以上）としたが、撮影者が必要とする被写体の人数は、任意に設定することができ、顔検出数が予め設定した設定数に一致すると、そのフレーム画像の圧縮率を低く設定するようにしてもよい。例えば、撮影者が必要とする被写体の人数を２人に設定すると、顔検出数が２人のフレーム画像は低圧縮率で記録し、顔検出数が１人又は３人以上のフレーム画像は高圧縮率で記録することになる。
【００６７】
＜第３実施形態＞
次に、上記構成のデジタルカメラ１０における動画撮影時の第３実施形態の処理動作について説明する。
【００６８】
図７はデジタルカメラ１０における記録動作の第３実施形態を示すフローチャートである。
【００６９】
［ステップＶ０］
撮像部１にて所定のフレームレートで取り込んだフレーム画像を、顔検出部７に送信し、ステップＶ１へ遷移する。
【００７０】
［ステップＶ１］
顔検出部７は、フレーム画像に対して顔の検出を開始し、ステップＶ２へ遷移する。
【００７１】
［ステップＶ２］
フレーム画像から顔が検出された場合には、ステップＶ３へ遷移し、顔が検出されなかった場合には、ステップＶ６へ遷移する。
【００７２】
［ステップＶ３］
フレーム内で検出された顔の領域（面積）を算出し、その顔の面積を示す情報を顔検出部７から制御部２に出力し、ステップＶ４へ遷移する。
【００７３】
［ステップＶ４］
制御部２は、前記算出された顔の面積と予め設定した閾値との比較を行い、顔検出領域のランク付けを行い、ステップＶ５へ遷移する。
【００７４】
［ステップＶ５］
制御部２は、前記比較結果に基づいて顔検出領域（面積）に対応する圧縮率を、下記の［表３］に示すように設定する。
【００７５】
【表３】
2008092174.tif 000005
【００７６】
尚、［表３］において、圧縮率は、Ａ＜Ｂ＜Ｃの関係になっている。
【００７７】
いま、図８（Ａ）に示すように顔検出領域（面積）が面積Ｂ以下の場合には、圧縮率Ｃが設定され、同図（Ｂ）に示すように顔検出領域（面積）が面積Ｂよりも大きく、面積Ａよりも小さい場合には、圧縮率Ｂが設定され、同図（Ｃ）に示すように顔検出領域（面積）が面積Ａ以上の場合には、圧縮率Ａが設定される。
【００７８】
［ステップＶ６］
フレーム画像から顔が検出されなかったため、このステップＶ６では、高圧縮率を設定し、ステップＶ７へ遷移する。尚、この場合の高圧縮率は、前記圧縮率Ｃと同じ、又は圧縮率Ｃよりも高くする。
【００７９】
［ステップＶ７］
記録部６は、制御部２よりステップＴ５又はステップＴ６で設定された圧縮率の情報を受け取り、その圧縮率にてフレーム画像を圧縮し、記録メディアに記録する。
【００８０】
撮影者は、デジタルカメラ１０に備わる光学ズーム機能等を利用したり、被写体に近づいて撮影することにより、被写体の拡大映像を記録する場合がある。この場合、第３実施形態では、顔検出領域（面積）により圧縮率を可変とし、撮影者が被写体をズームアップして撮影する場合には、そのフレーム画像の圧縮率を低く設定するようにしている。
【００８１】
＜第４実施形態＞
次に、上記構成のデジタルカメラ１０における動画撮影時の第４実施形態の処理動作について説明する。
【００８２】
図９はデジタルカメラ１０における記録動作の第４実施形態を示すフローチャートである。
【００８３】
［ステップＷ０］
撮像部１にて所定のフレームレートで取り込んだフレーム画像を、顔検出部７に送信し、ステップＷ１へ遷移する。
【００８４】
［ステップＷ１］
顔検出部７は、フレーム画像に対して顔の検出を開始し、ステップＷ２へ遷移する。
【００８５】
［ステップＷ２］
フレーム画像から顔が検出された場合には、ステップＷ３へ遷移し、顔が検出されなかった場合には、ステップＷ５へ遷移する。
【００８６】
［ステップＷ３］
フレーム内で検出された顔の向きを算出し、その顔の向きを示す情報を顔検出部７から制御部２に出力し、制御部２は、前記検出された顔の向きによってフレーム画像のランク付けを行い、ステップＷ４へ遷移する。
【００８７】
［ステップＷ４］
制御部２は、前記ランク付けされた結果に基づいてフレーム画像に対応する圧縮率を、下記の［表４］に示すように設定する。
【００８８】
【表４】
2008092174.tif 000006
【００８９】
尚、［表４］において、圧縮率は、Ａ＜Ｂ＜Ｃの関係になっている。
【００９０】
いま、図１０（Ａ）に示すように検出された顔がカメラに対して真正面を向いている場合には、圧縮率Ａが設定され、同図（Ｂ）に示すように検出された顔がカメラに対して斜めに向いている場合には、圧縮率Ｂが設定され、同図（Ｃ）に示すように検出された顔がカメラに対して横を向いている場合には、圧縮率Ｃが設定される。
【００９１】
［ステップＷ５］
フレーム画像から顔が検出されなかったため、このステップＷ５では、高圧縮率を設定し、ステップＷ６へ遷移する。尚、この場合の高圧縮率は、前記圧縮率Ｃと同じ、又は圧縮率Ｃよりも高くする。
【００９２】
［ステップＷ６］
記録部６は、制御部２よりステップＷ４又はステップＷ５で設定された圧縮率の情報を受け取り、その圧縮率にてフレーム画像を圧縮し、記録メディアに記録する。
【００９３】
撮影者が必要とする映像は、被写体がカメラに対して真正面となる場合が多い。そこで、第４実施形態では、カメラに対する顔の向きにより圧縮率を可変とし、カメラに対して顔が真正面を向いている場合には、そのフレーム画像の圧縮率を低く設定するようにしている。
【００９４】
＜第５実施形態＞
次に、上記構成のデジタルカメラ１０における動画撮影時の第５実施形態の処理動作について説明する。
【００９５】
図１１はデジタルカメラ１０における記録動作の第５実施形態を示すフローチャートである。
【００９６】
［ステップＸ０］
撮像部１にて所定のフレームレートで取り込んだフレーム画像を、顔検出部７に送信し、ステップＸ１へ遷移する。
【００９７】
［ステップＸ１］
顔検出部７は、フレーム画像に対して顔の検出を開始し、ステップＸ２へ遷移する。
【００９８】
［ステップＸ２］
フレーム画像から顔が検出された場合には、ステップＸ３へ遷移し、顔が検出されなかった場合には、ステップＸ５へ遷移する。
【００９９】
［ステップＸ３］
フレーム内で検出された顔の特徴量（顔の輪郭、目、鼻、口等の大きさやバランス、髪形等）と、予めカメラ内蔵のフラッシュメモリ等に登録された特定の顔の特徴量とを比較し、登録された顔の特徴量と一致しているか否か（同一人物か否か）を判定し、同一人物であると判定すると、ステップＸ４へ遷移し、同一人物でないと判定すると、ステップＸ５へ遷移する。
【０１００】
［ステップＸ４］
制御部２は、前記検出された顔の特徴量と登録された顔の特徴量の一致不一致に応じてフレーム画像の圧縮率を、下記の［表５］に示すように設定する。
【０１０１】
【表５】
2008092174.tif 000007
【０１０２】
尚、［表３］において、圧縮率は、Ａ＜Ｃの関係になっている。
【０１０３】
［ステップＸ５］
フレーム画像から顔が検出されなかったか、又は検出された顔が登録された顔の特徴量と不一致であったため（別人であるため）、このステップＸ５では、圧縮率Ｃを設定し、ステップＸ６へ遷移する。尚、顔が登録された顔と不一致である場合と、顔が検出されなかった場合とで、圧縮率を変更してもよい。
【０１０４】
［ステップＸ６］
記録部６は、制御部２よりステップＸ４又はステップＸ５で設定された圧縮率の情報を受け取り、その圧縮率にてフレーム画像を圧縮し、記録メディアに記録する。
【０１０５】
撮影者は、予め家族等の顔の情報を、例えば、デジタルカメラ１０で登録モードで撮影することにより登録する。尚、複数人を登録してもよい。第５実施形態では、検出された顔が登録した顔と同一か否かによって圧縮率を可変とし、撮影者が必要とする顔が写されている場合には、そのフレーム画像の圧縮率を低く設定するようにしている。
【０１０６】
尚、第１実施形態から第５実施形態は、いずれも圧縮率を変更することにより画質を調整（記録容量を調整）するようにしているが、これに限らず、フレームレートを変更するようにしてもよい。例えば、高画質記録時には、６０フレーム／秒とし、低画質記録時には、２０フレーム／秒、１５フレーム／秒のようにフレームレートを低くする。また、フレーム画像の画像サイズ（画素数）を変更するようにしてもよい。例えば、通常（高画質）の記録時には、ＶＧＡ（640×480画素）とし、低画質の記録時には、ＱＶＧＡ（320×240画素）、あるいは横方向の画素だけＶＧＡを２分の１にした320×480画素とする。尚、再生時には、補間により常にＶＧＡのサイズで再生させるようにする。
【０１０７】
また、第1実施形態から第５実施形態のものを適宜組み合わせて、総合的に画質を設定してもよいし、更に画質の調整も圧縮率、フレームレート、及び画像サイズを適宜組み合わせてもよい。
【図面の簡単な説明】
【０１０８】
【図１】図１は本発明に係る撮像装置（デジタルカメラ）の構成を示すブロック図である。
【図２】図２はデジタルカメラにおける記録動作の第１実施形態を示すフローチャートである。
【図３】図３はフレーム内の顔検出位置をランク付けする３つのエリアを示す図である。
【図４】図４はフレーム内の顔検出位置と顔検出位置をランク付けする３つのエリアとの関係を示す図である。
【図５】図５はデジタルカメラにおける記録動作の第２実施形態を示すフローチャートである。
【図６】図６はフレーム内で顔検出した箇所（数）を示す図である。
【図７】図７はデジタルカメラにおける記録動作の第３実施形態を示すフローチャートである。
【図８】図８はフレーム内の顔検出領域（面積）を示す図である。
【図９】図９はデジタルカメラにおける記録動作の第４実施形態を示すフローチャートである。
【図１０】図１０はデジタルカメラに対する顔の向きを示す図である。
【図１１】図１１はデジタルカメラにおける記録動作の第５実施形態を示すフローチャートである。
【符号の説明】
【０１０９】
１０…撮像装置（デジタルカメラ）、１…撮像部、２…制御部、３…操作部、４…表示部、５…送受信部、６…記録部、７…顔検出部
【図１】
2008092174.tif 000008
【図２】
2008092174.tif 000009
【図３】
2008092174.tif 000010
【図４】
2008092174.tif 000011
【図５】
2008092174.tif 000012
【図６】
2008092174.tif 000013
【図７】
2008092174.tif 000014
【図８】
2008092174.tif 000015
【図９】
2008092174.tif 000016
【図１０】
2008092174.tif 000017
【図１１】
2008092174.tif 000018